(57)【要約】  本発明は、デジタル通信システムの、必ずしも全員生存しているとは限らないユーザー間のメッセージ送達を可能にする方法に関する。本方法は、チェックメッセージをユーザーに送信して、予め定義されたイベントが発生したか否かをチェックするステップであって、ユーザーは予め選択された受信者への予め作成されたメッセージをシステムに送信し、システムの少なくとも1人の信頼される他のユーザーの存在を示している、ステップを含む。さらに、本方法は、システムがユーザーから応答メッセージを受信しない場合、検証メッセージを信頼されるユーザーに送信して、予め定義されたイベントが発生したか否かを検証するステップを含む。信頼されるユーザーが予め定義されたイベントが発生したことを確認する応答メッセージを送信する場合、システムは、予め作成されたメッセージを予め選択された受信者に送信する。【選択図】図2
2018508897.tif 000002
【特許請求の範囲】
【請求項１】
デジタル通信システムのユーザー間のメッセージ送達を可能にする方法であって、
チェックメッセージをユーザーに送信して、予め定義されたイベントが発生したか否かをチェックするステップであって、前記ユーザーは、予め選択された受信者への予め作成されたメッセージを前記システムに送信し、前記システムの少なくとも1人の信頼される他のユーザーの存在を示している、ステップと、
前記システムが前記ユーザーから応答メッセージを受信しない場合、検証メッセージを前記信頼されるユーザーに送信して、前記予め定義されたイベントが発生したか否かを検証するステップと、
前記システムが前記信頼されるユーザーから前記予め定義されたイベントが発生したことを確認する応答メッセージ受信する場合、前記予め作成されたメッセージを前記予め選択された受信者に送信するステップと、
を含む、方法。
【請求項２】
検証メッセージを前記信頼されるユーザーに送信する前記ステップは、前記ユーザーが、前記システムに送信される応答メッセージにおいて、前記予め定義されたイベントが発生したことを宣言する場合にも実行される、請求項1に記載の方法。
【請求項３】
チェックメッセージを送信する前記ステップは、繰り返し実行される、請求項1又は2に記載の方法。
【請求項４】
前記ユーザーが前記システムのアラートサービスを起動し、予め選択された受信者への予め定義されたアラームメッセージを前記システムに送信した後、タイマーを開始するステップと、
前記システムが予め定義されたタイマー時刻よりも前にリセット信号を受信する場合、前記タイマーをリセットするステップと、
前記システムが前記予め定義されたタイマー時刻よりも前にリセット信号を受信しなかった場合、アラーム状態を起動し、前記予め定義されたアラームメッセージを前記予め選択された受信者に送信するステップと、
を更に含む、請求項1〜3のいずれか1項に記載の方法。
【請求項５】
前記アラーム状態が起動された場合、画像データを記録し、該画像データをアラートシステムに転送するステップ、
を更に含む、請求項4に記載の方法。
【請求項６】
前記アラーム状態が起動された場合、位置情報をアラートシステムに転送するステップ、
を更に含む、請求項4又は5に記載の方法。
【請求項７】
前記システムが、前記アラートサービスが開始した後、予め設定された期間内に前記ユーザーから安全確認メッセージを受信しなかった場合、前記アラーム状態が起動される、請求項4〜6のいずれか1項に記載の方法。
【請求項８】
前記アラーム状態は、ユーザー認証メッセージによってのみ終了することができる、請求項4〜7のいずれか1項に記載の方法。
【請求項９】
前記システムのユーザー間のチャットセッションを更に可能にする、請求項1〜8のいずれか1項に記載の方法であって、チャットユーザーは、該チャットユーザーが仮名を用いる場合及び個人認証データを用いたアクセスプロセスが完了に成功した場合にのみ入室許可され、全てのチャットユーザーの全てのチャットセッションデータは、前記チャットセッションへの入室許可を試みるユーザーのアクセスプロセスが失敗した場合除去される、方法。
【請求項１０】
ユーザー間のメッセージ送達を更に可能にし、前記ユーザーのうちの少なくとも1人は死去しており、予め記録された返答が、前記ユーザーが存命時に返答した予め定義された質問に対して用いられ、及び／又は前記ユーザーの存命時のプロフィール及び習慣に基づいて、自動生成応答メッセージが作成される、請求項1〜9のいずれか1項に記載の方法。
【請求項１１】
デジタル通信システムのユーザー間のメッセージ送達を可能にする該デジタル通信システムであって、該システムは、
チェックメッセージをユーザーに送信して、予め定義されたイベントが発生したか否かをチェックするステップであって、前記ユーザーは、予め選択された受信者への予め作成されたメッセージを該システムに送信し、該システムの少なくとも1人の信頼される他のユーザーの存在を示している、ステップと、
該システムが前記ユーザーから応答メッセージを受信しない場合、検証メッセージを前記信頼されるユーザー送信して、前記予め定義されたイベントが発生したか否かを検証するステップと、
該システムが前記信頼されるユーザーから前記予め定義されたイベントが発生したことを確認する応答メッセージを受信する場合、前記予め作成されたメッセージを前記予め選択された受信者に送信するステップと、
該システムが故人のユーザー宛のメッセージを受信する場合、前記故人のユーザーが存命時に返答した予め定義された質問に対する予め記録された返答を用いるか、又は前記故人のユーザーの存命時のプロフィール及び習慣に基づいて作成された自動生成応答メッセージを用いるステップと、
を実行するように構成される、デジタル通信システム。
【請求項１２】
前記システムは、前記ユーザーのポータブル通信デバイスに通信可能に接続されている、請求項11に記載のデジタル通信システム。
【請求項１３】
デジタル通信システムのユーザー間のメッセージ送達を可能にするコンピュータープログラム製品であって、該コンピュータープログラム製品は、
チェックメッセージをユーザーに送信して、予め定義されたイベントが発生したか否かをチェックするステップであって、前記ユーザーは、予め選択された受信者への予め作成されたメッセージを前記システムに送信し、前記システムの少なくとも1人の信頼される他のユーザーの存在を示している、ステップと、
前記システムが前記ユーザーから応答メッセージを受信しない場合、検証メッセージを前記信頼されるユーザーに送信して、前記予め定義されたイベントが発生したか否かを検証するステップと、
前記システムが前記信頼されるユーザーから前記予め定義されたイベントが発生したことを確認する応答メッセージを受信する場合、前記予め作成されたメッセージを前記予め選択された受信者に送信するステップと、
前記システムが故人のユーザー宛のメッセージを受信する場合、前記故人のユーザーが存命時に返答した予め定義された質問に対する予め記録された返答を用いるか、又は前記故人のユーザーの存命時のプロフィール及び習慣に基づいて作成された自動生成応答メッセージを用いるステップと、
を含むプロセスをプロセッサに容易にさせるコンピューター可読コードを含む、コンピュータープログラム製品。
【発明の詳細な説明】
【技術分野】
【０００１】
本発明は、デジタル通信サーバーのユーザー間のメッセージ送達を可能にする方法に関する。
【背景技術】
【０００２】
目下、ソーシャルウェブベースアプリケーションは、チャットをすること、データ、例えば、画像を投稿してコンテンツを共有、公開及び／又は販売すること等のいくつかの通信サービスを提供していることが既知である。
【発明の概要】
【０００３】
公衆通信サービス及び私的通信サービスに対する進展中の需要を満たすために、本発明の目的は、改善された1組のメッセージ送達サービスを可能にする方法を提供することである。それに加えて、本発明によれば、本方法は、チェックメッセージをユーザーに送信して、予め定義されたイベントが発生したか否かをチェックするステップであって、ユーザーは予め選択された受信者への予め作成されたメッセージをシステムに送信し、システムの少なくとも1人の信頼される他のユーザーの存在を示している、ステップと、システムがユーザーから応答メッセージを受信しない場合、検証メッセージを信頼されるユーザーに送信して、予め定義されたイベントが発生したか否かを検証するステップと、システムが予め定義されたイベントが発生したことを確認する応答メッセージを信頼されるユーザーから受信する場合、予め作成されたメッセージを予め選択された受信者に送信するステップとを含む。したがって、予め作成されたメッセージが、予め特定されたイベントが発生した後に予め選択された受信者に送達されることが確実になる。
【０００４】
また、本発明は、システムにも関する。
【０００５】
さらに、本発明は、コンピュータープログラム製品に関する。コンピュータープログラム製品は、フラッシュメモリ、CD、又はDVD等のデータキャリア上に記憶された1組のコンピューター実行可能命令を含むことができる。この1組のコンピューター実行可能命令は、プログラマブルコンピューターが上記で規定される方法を実行することを可能にし、また、リモートサーバーから、例えば、インターネットを介して、例えば、アプリ（app）として、ダウンロードして利用可能とすることもできる。
【０００６】
本発明による他の有利な任意選択肢及び実施形態が、添付の特許請求の範囲に記載される。
【０００７】
ここで、例としてのみ、本発明の実施形態が添付の図面を参照して記載される。
【図面の簡単な説明】
【０００８】
【図１】本発明によるデジタル通信システムの概略図である。
【図２】本発明による方法の一実施形態のフローチャートである。
【発明を実施するための形態】
【０００９】
図面は、本発明による好ましい実施形態を示すに過ぎない。図面において、同じ参照符号は、等しい部分又は対応する部分を指す。
【００１０】
図1は、本発明によるデジタル通信システム10の概略図を示している。システム10は、このシステム10に通信可能に接続される、ユーザーのポータブル通信デバイス12、14、16間のメッセージ送達を可能にし、このメッセージ送達をサポートする。
【００１１】
システム10は、サーバーとして、又はサーバーの分散システム、例えばウェブベースとして実現することができる。ポータブル通信デバイス12、14、16は、携帯電話、スマートフォン、タブレット、ラップトップ、デスクトップ、PC等、システム10と通信することが可能である任意の電子デバイスとすることができる。
【００１２】
特定の実施形態において、システム10は、ユーザーに予め特定されたイベントが発生した後、セキュアな方法で予め作成されたメッセージを予め選択された受信者に送達するサービスをサポートするように構成される。
【００１３】
それに加えて、ユーザー12は、予め選択された受信者18、20への予め作成されたメッセージをシステム10に送信し、システム10の少なくとも1人の信頼される他のユーザー14、16の存在を示す。システム10は、チェックメッセージをユーザー12に繰り返し送信して、予め定義されたイベントが発生したか否かをチェックする。そのイベントが発生していないことをユーザー12が示す場合、システム10は、予め設定された期間の後、別のチェックメッセージを送信する。システム10がユーザー12から応答メッセージを受信しない場合、システムは、検証メッセージを信頼されるユーザー14、16に送信して、予め定義されたイベントが発生したか否かを検証する。その後、システムが、予め定義されたイベントが発生したことを確認する応答メッセージを信頼されるユーザー14、16から受信する場合、システム10は、予め作成されたメッセージを予め選択された受信者18、20に送信する。こうして、ユーザーの意図に従って、ユーザーのデバイス自体を起動することなく、予め作成されたメッセージが時間を置いて（in a delayed manner）予め選択された受信者に送信される。
【００１４】
予め定義されたイベントは、入院、事故、電話及び／又は電子メールに応答することが不可能である状態、逮捕、死等である場合がある。予め作成されたメッセージは、テキストメッセージ、写真、ビデオ、ファイル及び／又は他のデータを含むことができる。さらに、システムの少なくとも1人の信頼される他のユーザー14、16は、複数人の信頼されるユーザー、例えば、3人又は5人の信頼されるユーザーを含むことができ、この他のユーザーはまた、トラスティー（trustees：被信頼者）及び／又は信頼される友人とも呼ばれる。
【００１５】
説明全体を通じて、本サービスはWA-serviceと呼ばれる。同様に、本システムのユーザーは、WA-userと呼ばれる。
【００１６】
信頼されるユーザー14、16に検証メッセージを送信するステップは、ユーザー12が、システム10に送信される応答メッセージにおいて、予め定義されたイベントが発生したと宣言する場合にも実行される。
【００１７】
システム10は、コンピューター、スマートフォン、タブレット、及びインターネットに接続される他の製品からアクセスすることができるソーシャルアプリケーションであり、好ましくは、プライベート情報／データ／コンテンツを認可されていない第三者に対して共有／公開／販売しない暗号化を用いる。第1のトラスティー、例えば、5人のトラスティーが検証されると、WA-membershipが完了し、以下のサービス／機能を含むことができる。
【００１８】
特定の実施形態において、メッセージの時間を置いた送達のサービスは、いわゆるWA-event、WA-after、WA-testament、又はWA-RiRPを含むことができる。
【００１９】
WA-eventサービスにおいて、メッセージは、今作成されるが、非常に近い将来において特定のイベント（逮捕、入院、事故、生存状態をチェックするために送られた電話及び／又は電子メールに応答することが不可能である状態）がユーザーに発生した後にのみ送達される必要がある。ユーザーは、各WA-eventメッセージについて最少で3人のトラスティーを選択し、「イベント」は、まず、その予め選択されたトラスティーの過半数（したがって少なくとも2人）によって確認されなければならず、その後、WA-appソフトウェアがメッセージをその受信者（複数の場合もある）に自動的に送信する。「生存チェック」手続きは、ユーザーによって予め決められた期間（時間単位、日単位、週単位）の後、又は予め定義された非起動期間の後、ユーザーの健康を確認するためにユーザーに尋ねるメッセージを送信する。これらのメッセージは、ユーザーが応答する時点まで繰り返される。ユーザーがこの「生存チェック」に応答しない場合、システムは、ユーザーの健康を尋ねるメッセージをトラスティーに送信し、トラスティーが、「イベント」が起こってユーザーが応答することが不可能であることを確認する場合、WA-eventがその受信者（複数の場合もある）に送信される。WA-eventがキャンセルされなかった場合及び／又は理由にかかわらずWA-eventが第180日目にシステム内に依然として存在する場合、システムは、ユーザーにWA-eventを延期する機会を与える最終警告メッセージをユーザーに送信する。ユーザーが反応しない場合、WA-eventメッセージが自動的に削除される前に、システムは、最終メッセージを、WA-eventが送信される必要があること、又はWA-eventをシステムから削除することができることのいずれかを確認するトラスティーに送信する。
【００２０】
「WA-after」サービスにおいて、ユーザーが今作成するメッセージは、ユーザーが死去した後になって初めて送達される必要がある。ユーザーは、好ましくは、各WA-afterメッセージについて最少で5人のトラスティーを選択し、ユーザーの「死去」は、当然まず少なくとも何人かのトラスティー、例えば、3人の予め選択されたトラスティーによって（「生存チェック」システムによって）明確に確認されなければならず、その後、WA-appソフトウェアがメッセージをその受信者（複数の場合もある）に自動的に送信する。WA-afterメッセージは、或る特定の有効期間を有することができ、この期間の後、ユーザーは、そのメッセージを書き換えるか又は削除するかのいずれかを提案される！本発明による「生存チェック」手続きは、予め決められた期間（月単位、四半期単位、半年単位、又は1年単位）の後、又は或る特定の非起動の期間の後、ユーザーの健康を確認するためにユーザーに尋ねるメッセージをユーザーに送信する！これらのメッセージは、ユーザーが予め定義された期間内に応答する時点まで繰り返される。ユーザーがこの「生存チェック」に応答しない場合、システムは、ユーザーの健康を尋ねるメッセージをトラスティーに送信し、この信頼される友人の過半数（少なくとも3人）がユーザーの死去を確認する場合、WA-afterがその受信者（複数の場合もある）に送信される。WA-afterが自動的に破棄されない場合、及び／又はWA-afterが書き換えられなかった又はキャンセルされなかった場合、及び／又は理由にかかわらずWA-afterがその作成から10年目の最終日にシステム内に依然として存在する場合、「生存チェック」手続きが適用され、少なくとも3人のユーザーのトラスティーから、ユーザーの死去を確認する返答を要求する。トラスティーがユーザーの死去を確認しない場合、WA-afterは、システムから削除される。
【００２１】
WA-testamentサービスは、「最期の社会的な望み」に専用である。WA-appの内部で、実世界におけるように、ユーザーは1つの遺言のみを有するべきであり、遺言は1つのみであるべきである。それにもかかわらず、WA-testamentは、ユーザーの遺言状（Last Will and Testament）とみなすことができる2ページ以上の穴埋めの書面に加えて、WA-userがWA-userの近親者（nextof kin：最近親）のために、写真、ファイル、オーディオ、又はビデオを添付することも可能にするWA-userのための追加のオプションが加わるので、単なる遺言以上のものである。しかし、穴埋めの書面のみを遺言状とみなすことができることに留意されたい。ユーザーが簡単な死去後メッセージ（afterlife message）を送信することを望む場合、ユーザーは、WA-afterセクションの下、自身が望む数だけ作成することができる。ユーザーは、WA-testamentのために少なくとも2人の証人（witnessess）を有し、かつ最少で5人のトラスティーを選択しなければならず、ユーザーの「死去」は、当然まず、予め選択されたトラスティーの過半数によって明確に確認されなければならず、その後、WA-appソフトウェアがWA-testamentをその受信者（複数の場合もある）に自動的に送信する。本発明による「生存チェック」手続きは、予め決められた期間（月単位、四半期単位、半年単位、又は1年単位）の後、又は或る特定の非起動の期間の後、ユーザーの健康を確認するためにユーザーに尋ねるメッセージをユーザーに送信する。これらのメッセージは、ユーザーが予め定義された期間内に応答する時点まで繰り返される。ユーザーがこの「生存チェック」に応答しない場合、システムは、ユーザーの健康をトラスティーに尋ねるメッセージを送信し、少なくとも過半数がユーザーの死去を確認する場合、ユーザーの「ソーシャル」WA-testamentがその受信者（複数の場合もある）に送信される。メンバーシップのタイプに応じて、ユーザーのWA-Testamentは、或る特定の金額又はWA-creditを要し、新たなWA-testamentへの差し替えにはそれぞれ、追加金又は追加のWA-creditが請求される。また、本発明のソフトウェアは、メンバーシップレベルの複数の特性、及び／又はWA-testamentに最終的に添付する物に従って、必要とされる追加金又はWA-creditを（それらが存在する場合）計算する。ユーザーのコンピューターからWA-testamentを作成することがおそらくより容易であることに留意されたい。
【００２２】
WA-RiRP（Rest in Real Peace）寄贈は、非常に短い期間内に死去する可能性が極めて高いと設定されるWA-user（不治の疾患又は非常に高齢及び病気の人々）、及び相続人又は他の遺族に対して負債の他に残すものを有しないWA-userに専用である。これらのWA-userのうちの何人かは、遺族が、彼ら遺族に対して経済的な責任を有しながらも（例えば、学費の問題）何も残すことができないWA-userを喪失した結果に対処するのを助ける本発明のWA-RiRP寄贈を選択することができる。
【００２３】
本発明の更なる態様として、本方法は、WA-userによって予め設定／作成された、又はソフトウェアによってランダムに作成されたすべての種類の死後のサービスを初期化することを含むことができる。これらのサービスは、WA-userが自身の信頼される友人によって「死去した」として確認される時点からトリガーされる。これは、本発明の「永久」メンバーシップサービスの下で提供され、したがって、WA-userを仮想的に永久とすることに専用である。WA-userは、自身の死去後にのみ起動される自身のアカウントについての、すべての種類の起動を予め設定することができる。WA-userは、これらのサービスをオプトインすることもできるし、オプトアウト（opt-out）することもできる。WA-userは、或る特定の日付に死去したことを確認された場合、自身が死去したまさに同日から自身の死後生の開始を事前に選択することができ、年齢を重ね続けることができる（肉体的な容姿及び声が年老いる）。このサービスにオプトインし、WA-service内部で互いに接続されるWA-contactのみが、彼らのうちの1人がもはや生存しておらず、死後生を生きている場合であっても、互いにコミュニケートし続けることができる。このソフトウェアは、存命しているWA-userによって、「永久」サービスに事前にオプトインした故人のWA-userに送信された任意のメッセージに自動応答を送信する。ソフトウェアによって作成されるこれらの自動応答は、存命時の死去したユーザーによって与えられた実際の返答、若しくは故人のWA-userが死去する前の習慣に基づいて、又は、故人のWA-userの友人若しくは家族から受け取ることができるメディア材料に基づいている。また、「永久」メンバーシップを作成することも可能であり、したがって、既に死去した個人の新たなWA-userを作成することも可能である。ソフトウェアは、彼らの存命時からのビデオ及びオーディオ材料を解析し、新たな仮想プロフィールを作成する。この目的は、大体においては、「永久」メンバーに送信されたメッセージに対する、非常にポジティブで元気づけるような（inspiring）自動応答を送信することでもある。WA-userは、全ての種類の死後生のプロフィール変化、及び特定の日付及び／又は時間及び／又は特定のイベント（記念日、休日、新年、及び他の祝い事）に送信されるメッセージのプログラミングを予め設定することもできる。
【００２４】
本発明の更なる態様によると、本方法は、ユーザーがシステムのアラートサービスを起動し、予め選択された受信者への予め定義されたアラームメッセージをシステムに送信した後、タイマーを初期化することを含むことができる。システムが予め定義されたタイマー時刻の前にリセット信号を受信する場合、タイマーをリセットすること。システムが予め定義されたタイマー時刻の前にリセット信号を受信しなかった場合、SOS機能が設けられるように、アラーム状態を起動し、予め選択された受信者に予め定義されたアラームメッセージを送信すること。
【００２５】
有利には、アラーム状態が起動されている場合、画像データを記録し、この画像データをアラートシステムに転送するプロセスが初期化される。任意選択で、画像データは、例えば、選択された数の受信者にブロードキャストされる。さらに、その場合、任意選択で、GPS情報等の位置情報がアラートシステムに転送される。
【００２６】
加えて、システムが、アラートサービスが開始した後の予め設定された期間内にユーザーから安全確認メッセージを受信しなかった場合、アラーム状態が起動される。
【００２７】
好ましくは、アラーム状態は、ユーザー認証メッセージによってのみ終了することができる。
【００２８】
WA-SOS：ユーザー及びこのユーザーの安全に気を配るために、S.O.S.機能をWA-app内部で実施することができ、この機能により、ユーザーが予め選択された（信頼される）友人及び／又は他の知人に即座にアラートすることを可能にする。これは、彼らにインスタントSOSディストレスメッセージを送信することによってなされ、このメッセージは、ユーザーのFacebookページ及び／又はYouTube登録商標ページ（複数の場合もある）及び／又はTwitterアカウントに自動的に投稿することもできるユーザーのGPS位置及び写真を含む。また、メンバーは、「ライブ」を予め選択された（信頼される）友人及び／又は他の知人にブロードキャストし、停止不可の短い警告「ヘルプミー（help me）」ビデオレコーディングを送信することもできる。また、メンバーは、迷子「WA-track」及び／又は他の助けの必要な（vulnerable）人々のために特に作成される特別のSOS機能を用いることもできる。
【００２９】
非常に特別に気を配る必要がある「WA-guard」。システムは、ユーザーメンバーシップレベルに関連する複数の特性及びSOS機能の使用に従って、必要とされる金額又はWA-creditを（それらが存在する場合）計算する。
【００３０】
システム10は更に、このシステムのユーザー間のチャットセッションを可能にすることができ、ここで、チャットユーザーは、仮名を用いる場合及び個人認証データを用いるアクセスプロセスが完了に成功した場合にのみ入室許可され、また、全てのチャットユーザーの全てのチャットセッションデータは、チャットセッションへの入室許可を試みるユーザーのアクセスプロセスが失敗した場合、除去される。
【００３１】
WA-ssh：ユーザーは、リアルシークレットチャットを有することができる。ユーザーはニックネームを用いなければならず、これらのシークレットチャットのそれぞれは、シークレットチャットにアクセスする度に毎回入力しなければならない、それ自体の4桁のピンコードによって保護される。実際には、別の認証プロセス、例えば、ユーザーの指紋スキャンも適用することができる。シークレットチャットは、誤ったシークレットピンコードを2度入力する場合、完全に消去される！シークレットメッセージはサーバーに数秒のみ保持されるので（ユーザーが異なる時間を設定しない限り）、メッセージが送信されたときにグループチャット内に接続されていない者は、後からそのメッセージを受信することはない。しかしながら、ユーザーがメッセージの消去に関して特定の時間を設定する場合、ユーザーは、いつメッセージがチャットルーム及びサーバーから消去されるかを決定する。
【００３２】
本システムの更なる選択肢は、以下を含む。
【００３３】
WA-user及びWA-guardian：確認されたWA-appのユーザーは、WA-userと呼ばれる。WA-guardianは、検証され、最低18歳であり、18歳未満のメンバーの保護者（guardian）となることを承諾したWA-userである。WA-guardianは、未成年のWA-userの権利及び義務に気をかけ、これらを保護及び保全する全責任を負う。
【００３４】
WA-contact及びトラスティー（信頼される友人とも呼ばれる）：ユーザーは、WA-userになると直ちに、そのユーザーと繋がるように友人を招待することができ、承諾した者は、検証されると、ユーザーのWA-contactとなる。トラスティーは、ユーザーが内密の事柄について完全に信頼し、ソフトウェアがユーザーに到達することができない場合（条項及び条件（terms & conditions）も参照）、ユーザーの生存状態を容易に検証することもできる、検証された+18 WA-contactである。ユーザーは、WA-eventメッセージ及びWA-afterメッセージ、WA-testament並びに何らかのWA-SOS機能のためにトラスティーを必要とする。WA-appの全ての機能を使用するには、ユーザーは、少なくとも1人、しかし好ましくはより多くの、例えば、5人のトラスティーを必要とするが、トラスティーの人数に制限はなく、ユーザーは一般的に、少数人のトラスティーのみを必要とする。
【００３５】
WA-klik：ユーザーは、ユーザーの全ての知人とチャット（多くの国で暗号化される）を行うことができ、即座の又は時間を置いた（チャットルーム内に、オンラインであることを必要とせずに最大1年後に送達される）メッセージ、写真、ビデオ、オーディオ、ロケーション及びコンタクト詳細（メッセージあたり最大17 MB）を送信することができる。ユーザーは、ユーザーのスマートフォン、タブレット、コンピューター及び他のインターネットに接続される製品からこれを行うことができる。
【００３６】
WA-translate：ユーザーは、ユーザーのチャットルーム内で、外国から受信されたチャットメッセージをユーザー自身の（又は他の任意の）言語に（任意の外国語の自動認識を用いて）即座に翻訳することができる。VIPメンバーは、改善された翻訳の利益を受ける場合がある。
【００３７】
WA messages：「WA-future」は、ユーザーが今作成するが、予め定義された、必ず後の時点（最大50年後）の正確な日時に送達される必要があるメッセージである。
【００３８】
WA-transfer：これは、ファイルの記憶及び（安全な）転送のプラットフォーム及び／又は機能部である。実際、これは全てのWAのために既に用いられているが、ここでは基本的に、ユーザーは、電話及び／又はユーザーのコンピューター等のユーザーのデバイスから任意のファイルを蓄積することができ、また、ユーザーは、これらのファイルにいつでも、世界中のどこからでもアクセスすることができ、又はユーザーは、ユーザーのファイルの1人又は複数人の知人への送達を、都合に合わせてオーダーすることができる。また、ユーザーは、重いファイルを転送することもできる。システムは、異なる選択肢を提案し、WA-transfer（複数の場合もある）の複数の特性に従って、必要とされる金額又はWA-credit（それらが存在する場合）を計算する。
【００３９】
WA-social：これは、マーケティング機能である。WAの販促、ゲーム、サイドサービス及び／又は有償の機能を、通知を介してユーザーに提案することができ、ユーザーは、これらのサービス／機能のためにWA-pointを獲得し及び／又はユーザーのWA-creditを使用することができる。ユーザーは、アプリゲーム及び／又は広告／公刊物内の第三者によるオファーを受け取ることもできるが、ユーザーは、これらの第三者からの広告／公刊物を、無料で、又は1年ごとの或る特定の金額又は或る特定の数のWA-creditで遮断することができる。このWA-creditは、或る特定の人数のトラスティー又はWA-contactを有することによって既に自動的に獲得している場合がある（ユーザーがプレミアムメンバーである場合、第三者広告／公刊物を遮断することに料金は課されない）。ユーザーは、常に、ユーザーのアカウントページで全てのWA-socialオファーを手動で調べることができる。
【００４０】
WA-setting：ユーザーは、WA-appの全体外観の色を複数の色から選択することができるが、より重要なことに、ユーザーは、ユーザーの「設定」ページにおいて他のソーシャルアプリよりも詳細なプライバシー設定を決めることができる。ユーザーは、ユーザーがトラスティー又はWA-contactを確定した時点までに自動的に獲得できたはずの1年ごとの或る特定の手数料で、第三者広告／公刊物を遮断することもできる（プレミアムメンバーにはこのサービスに料金は課されない）。
【００４１】
WA-swipe：ユーザーは、いくつかの好ましいチャット画面を予め設定し、或る予め選択された画面から別の画面に、左から右へ及び戻る際は右から左へスワイプすることができる。ユーザーは、ユーザーの画面上への一度のスワイプ等を行うだけで、或るチャット会話から別の会話に切り替えることができることを想像されたい。
【００４２】
WA-voip：ユーザーは、インターネット接続を通じて任意のユーザーのオンラインの／接続されたWA-contactと即座に会話を（ビデオストリーミングを用いても、用いなくても）することができる。
【００４３】
WA-flirt：ユーザーは、メンバーになると、「デート」が可能であることを選択することができる。ユーザーがこれを行う場合、同様に「デート」が可能であることを許可した他のWA-userが、たとえこの他のWA-userが当該ユーザーとWA-contactではなくても、当該ユーザーを閲覧することができ、この逆も同様である。これは、ユーザーの周囲の予め設定された距離内で行われる。いくつかのプライベート情報を交換した後、2人が自分達は相性が良いと考える場合、この2人はWA-app内でコミュニケーション／デートを開始するか、又は彼ら自身の実世界での「デート」の約束をすることができ、また、ユーザーが100 %確信が持てない場合、いつでもWA-SOS機能を用いて彼らの最初の面会中に彼らの安全を警戒する（watch their back）ことができる。
【００４４】
WA-wink：この機能により、ユーザーは、受信者が写真又はビデオを開くと、これらを自動消去することが可能になる。
【００４５】
WA-smart：ユーザーは、メンバーである間、WA-userとして、他のWA-userに接続することを容易にする一意のQRコード登録商標を受け取ることができる。また、ユーザーは、アップグレード及び有償サービスに使用されるWA-credit及びWA-pointを備える電子財布を有することもできる。ユーザーがインテンシブなWA-userとなった場合、ユーザーは、より多くのアドバンテージ及びより良好な条件の利益を得ることを所望することになるので、この理由でWA-smartプログラムが作られ、これにより、ユーザーが費用を払うことなくVIPレベルメンバーシップにアップグレード又はこのメンバーシップを維持するためにWA-pointを獲得することが可能になった。本発明によるWA-smartは、航空機のフリークエントフライヤープログラム及び／又はアフィリエイトプログラムに類似して機能し、ユーザーのメンバーシップのレベルがより高いほど、ユーザーが利益を得るアドバンテージが多くなる。より多くの知人をもたらすほど、より多くのトラスティーを有するほど、よりアプリを使用するほど等、ユーザーはより多くのWA-pointを獲得し、購入する必要のあるWA-creditが少なくなる。
【００４６】
SOS機能は、本請求項1に規定される方法と組み合わせて実施することができることに留意されたい。しかしながら、SOS機能は、より包括的に、デジタル通信サーバーのユーザー間のメッセージ送達を可能にする方法において実施することもできる。したがって、ユーザーがシステムのアラートサービスを起動し、予め選択された受信者への予め定義されたアラームメッセージをシステムに送信した後、タイマーを開始するステップ、システムが予め定義されたタイマー時刻より前にリセット信号を受信する場合、タイマーをリセットするステップ、及びシステムが予め定義されたタイマー時刻よりも前にリセット信号を受信しなかった場合、アラーム状態を起動し、予め定義されたアラームメッセージを予め選択された受信者に送信するステップもまた同様に、デジタル通信システムのユーザー間のメッセージ送達を、メッセージサービスの遅延を伴うことなく可能にする方法において実施することができる。
【００４７】
図2は、本発明による方法の一実施形態のフローチャートを示している。本方法は、デジタル通信システムのユーザー間のメッセージ送達を可能にするために用いられ、本方法は、チェックメッセージをユーザーに送信して、予め定義されたイベントが発生したか否かをチェックするステップ110（このステップは最大3回繰り返すことができる）であって、ユーザーは、予め選択された受信者への予め作成されたメッセージをシステムに送信し、システムの少なくとも1人の信頼される他のユーザーの存在を示している、ステップと、システムがユーザーから応答メッセージを受信しない場合、検証メッセージを信頼されるユーザーに送信して、予め定義されたイベントが発生したか否かを検証するステップ120と、システムが予め定義されたイベントが発生したことを確認する応答メッセージを信頼されるユーザーから受信する場合、予め作成されたメッセージを予め選択された受信者に送信するステップ130とを含む。
【００４８】
デジタル通信システムのユーザー間のメッセージ送達を可能にする方法は、コンピューターサーバー等の、専用ハードウェア構造を用いて容易にすることができる。そうでなければ、本方法は、少なくとも部分的に、コンピューターシステムのプロセッサにメッセージ送達を容易にさせる命令を備えるコンピュータープログラム製品を用いても実行することができる。全ての（サブ）ステップは、原則として単一のプロセッサ上で実行することができる。しかしながら、少なくとも1つのステップを、別個のプロセッサ上で実行することができることに留意されたい。プロセッサは、特定のソフトウェアモジュールをロードすることができる。専用のソフトウェアモジュールを、例えば、インターネットから提供することができる。
【００４９】
本発明は、本明細書に記載される実施形態に制限されない。多くの変形形態が可能であることが理解される。
【００５０】
これらの実施形態及び他の実施形態は、当業者には明らかであり、添付の特許請求の範囲において規定される本発明の範囲内にあるものとみなされる。明確性及び簡潔な記載の目的で、特徴は、同じ実施形態又は別個の実施形態の部分として本明細書に記載されている。しかしながら、本発明の範囲は、記載される特徴の全ての組み合わせ又はいくつかの組み合わせを有する実施形態を含むことができることが理解される。
【図１】
2018508897.tif 000003
【図２】
2018508897.tif 000004
【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
デジタル通信システムのユーザー間のメッセージ送達を可能にする方法であって、
チェックメッセージをユーザーに送信して、予め定義されたイベントが発生したか否かをチェックするステップであって、前記ユーザーは、予め選択された受信者への予め作成されたメッセージを前記システムに送信し、前記システムの少なくとも1人の信頼される他のユーザーの存在を示している、ステップと、
前記システムが前記ユーザーから応答メッセージを受信しない場合、検証メッセージを前記信頼されるユーザーに送信して、前記予め定義されたイベントが発生したか否かを検証するステップと、
前記システムが前記信頼されるユーザーから前記予め定義されたイベントが発生したことを確認する応答メッセージ受信する場合、前記予め作成されたメッセージを前記予め選択された受信者に送信するステップと、
前記ユーザーが前記システムのアラートサービスを起動し、予め選択された受信者への予め定義されたアラームメッセージを前記システムに送信した後、タイマーを開始するステップと、
前記システムが予め定義されたタイマー時刻よりも前にリセット信号を受信する場合、前記タイマーをリセットするステップと、
前記システムが前記予め定義されたタイマー時刻よりも前にリセット信号を受信しなかった場合、アラーム状態を起動し、前記予め定義されたアラームメッセージを前記予め選択された受信者に送信するステップと、
を含む、方法。
【請求項２】
検証メッセージを前記信頼されるユーザーに送信する前記ステップは、前記ユーザーが、前記システムに送信される応答メッセージにおいて、前記予め定義されたイベントが発生したことを宣言する場合にも実行される、請求項1に記載の方法。
【請求項３】
チェックメッセージを送信する前記ステップは、繰り返し実行される、請求項1に記載の方法。
【請求項４】
チェックメッセージを送信する前記ステップは、繰り返し履行される、請求項2に記載の方法。
【請求項５】
前記アラーム状態が起動された場合、画像データを記録し、該画像データをアラートシステムに転送するステップ、
を更に含む、請求項1〜4のいずれか一に記載の方法。
【請求項６】
前記アラーム状態が起動された場合、位置情報をアラートシステムに転送するステップ、
を更に含む、請求項1〜4のいずれか一に記載の方法。
【請求項７】
前記システムが、前記アラートサービスが開始した後、予め設定された期間内に前記ユーザーから安全確認メッセージを受信しなかった場合、前記アラーム状態が起動される、請求項1〜4のいずれか一に記載の方法。
【請求項８】
前記アラーム状態は、ユーザー認証メッセージによってのみ終了することができる、請求項1〜4のいずれか一に記載の方法。
【請求項９】
前記システムのユーザー間のチャットセッションを更に可能にする、請求項1〜4のいずれか一に記載の方法であって、チャットユーザーは、該チャットユーザーが仮名を用いる場合及び個人認証データを用いたアクセスプロセスが完了に成功した場合にのみ入室許可され、全てのチャットユーザーの全てのチャットセッションデータは、前記チャットセッションへの入室許可を試みるユーザーのアクセスプロセスが失敗した場合除去される、方法。
【請求項１０】
ユーザー間のメッセージ送達を更に可能にし、前記ユーザーのうちの少なくとも1人は死去しており、予め記録された返答が、前記ユーザーが存命時に返答した予め定義された質問に対して用いられ、及び／又は前記ユーザーの存命時のプロフィール及び習慣に基づいて、自動生成応答メッセージが作成される、請求項1〜4のいずれか一に記載の方法。
【請求項１１】
デジタル通信システムのユーザー間のメッセージ送達を可能にする該デジタル通信システムであって、該システムは、
チェックメッセージをユーザーに送信して、予め定義されたイベントが発生したか否かをチェックするステップであって、前記ユーザーは、予め選択された受信者への予め作成されたメッセージを該システムに送信し、該システムの少なくとも1人の信頼される他のユーザーの存在を示している、ステップと、
該システムが前記ユーザーから応答メッセージを受信しない場合、検証メッセージを前記信頼されるユーザー送信して、前記予め定義されたイベントが発生したか否かを検証するステップと、
該システムが前記信頼されるユーザーから前記予め定義されたイベントが発生したことを確認する応答メッセージを受信する場合、前記予め作成されたメッセージを前記予め選択された受信者に送信するステップと、
該システムが故人のユーザー宛のメッセージを受信する場合、前記故人のユーザーが存命時に返答した予め定義された質問に対する予め記録された返答を用いるか、又は前記故人のユーザーの存命時のプロフィール及び習慣に基づいて作成された自動生成応答メッセージを用いるステップと、
前記ユーザーが前記システムのアラートサービスを起動し、予め選択された受信者への予め定義されたアラームメッセージを前記システムに送信した後、タイマーを開始するステップと、
前記システムが予め定義されたタイマー時刻よりも前にリセット信号を受信する場合、前記タイマーをリセットするステップと、
前記システムが前記予め定義されたタイマー時刻よりも前にリセット信号を受信しなかった場合、アラーム状態を起動し、前記予め定義されたアラームメッセージを前記予め選択された受信者に送信するステップと、
を実行するように構成される、デジタル通信システム。
【請求項１２】
前記システムは、前記ユーザーのポータブル通信デバイスに通信可能に接続されている、請求項11に記載のデジタル通信システム。
【請求項１３】
デジタル通信システムのユーザー間のメッセージ送達を可能にするコンピュータープログラム製品であって、該コンピュータープログラム製品は、
チェックメッセージをユーザーに送信して、予め定義されたイベントが発生したか否かをチェックするステップであって、前記ユーザーは、予め選択された受信者への予め作成されたメッセージを前記システムに送信し、前記システムの少なくとも1人の信頼される他のユーザーの存在を示している、ステップと、
前記システムが前記ユーザーから応答メッセージを受信しない場合、検証メッセージを前記信頼されるユーザーに送信して、前記予め定義されたイベントが発生したか否かを検証するステップと、
前記システムが前記信頼されるユーザーから前記予め定義されたイベントが発生したことを確認する応答メッセージを受信する場合、前記予め作成されたメッセージを前記予め選択された受信者に送信するステップと、
前記システムが故人のユーザー宛のメッセージを受信する場合、前記故人のユーザーが存命時に返答した予め定義された質問に対する予め記録された返答を用いるか、又は前記故人のユーザーの存命時のプロフィール及び習慣に基づいて作成された自動生成応答メッセージを用いるステップと、
前記ユーザーが前記システムのアラートサービスを起動し、予め選択された受信者への予め定義されたアラームメッセージを前記システムに送信した後、タイマーを開始するステップと、
前記システムが予め定義されたタイマー時刻よりも前にリセット信号を受信する場合、前記タイマーをリセットするステップと、
前記システムが前記予め定義されたタイマー時刻よりも前にリセット信号を受信しなかった場合、アラーム状態を起動し、前記予め定義されたアラームメッセージを前記予め選択された受信者に送信するステップと、
を含むプロセスをプロセッサに容易にさせるコンピューター可読コードを含む、コンピュータープログラム製品。
【国際調査報告】
2018508897.tif 000005
2018508897.tif 000006